(57)【要約】【課題】クッション性を損なうことなく内部の収納空間の変形を抑制でき、且つ上面に折れ跡が生じてしまうことを抑制することができる浴槽用枕を提供する。【解決手段】浴槽に設置され、入浴者の頭を載せることが可能な浴槽用枕であって、一対の側部と、一対の側部の後端を接続する後端部と、を有し、入浴者の頭の荷重を支えるための支持部と、支持部の上に設けられ、入浴者の頭が載置される上面を形成するとともに、一対の側部の間の空間の上方を覆うことにより、浴槽の機能部を収納するための収納空間を支持部とともに形成する頭載置部と、を備え、頭載置部の硬さは、支持部の硬さよりも柔らかく、後端部と頭載置部との接続面の外縁を表す収納空間側の接続ラインは、変曲点を有する曲線状であることを特徴とする浴槽用枕である。【選択図】図１
2019122608.tif 000002
【特許請求の範囲】
【請求項１】
浴槽に設置され、入浴者の頭を載せることが可能な浴槽用枕であって、
一対の側部と、前記一対の側部の後端を接続する後端部と、を有し、入浴者の頭の荷重を支えるための支持部と、
前記支持部の上に設けられ、前記入浴者の頭が載置される上面を形成するとともに、前記一対の側部の間の空間の上方を覆うことにより、前記浴槽の機能部を収納するための収納空間を前記支持部とともに形成する頭載置部と、
を備え、
前記頭載置部の硬さは、前記支持部の硬さよりも柔らかく、
前記後端部と前記頭載置部との接続面の外縁を表す前記収納空間側の接続ラインは、変曲点を有する曲線状であることを特徴とする浴槽用枕。
【請求項２】
前記収納空間側の前記接続ラインの左右方向の中央近傍は、前記変曲点より前方に位置していることを特徴とする請求項１記載の浴槽用枕。
【請求項３】
前記収納空間側の前記接続ラインは、前方側に向かって凸となるように湾曲した湾曲部を有し、
前記湾曲部の頂点部分は、前記収納空間側の前記接続ラインの左右方向の中央近傍に設けられていることを特徴とする請求項２記載の浴槽用枕。
【請求項４】
前記収納空間側の前記接続ラインの少なくとも一部は、波形形状であることを特徴とする請求項１〜３のいずれか１つに記載の浴槽用枕。
【請求項５】
前記収納空間側の前記接続ラインの少なくとも一部は、前記一対の側部の後端を結ぶ仮想線よりも前方に位置していることを特徴とする請求項１〜４のいずれか１つに記載の浴槽用枕。
【発明の詳細な説明】
【技術分野】
【０００１】
本発明の態様は、一般的に、浴槽用枕に関する。
【背景技術】
【０００２】
入浴中の入浴者が頭を載せて快適に入浴できるように、浴槽に設置される浴槽用枕が知られている。このような浴槽用枕においては、例えば特許文献１のように、吐水装置などの機能部を覆った状態で設置できるように、内部に収納空間を有するタイプがある。
【０００３】
浴槽用枕には入浴者の頭が載置されるため、浴槽用枕の少なくとも上面は、弾性を有する比較的柔らかい材質で形成することが好ましい。しかしながら、浴槽用枕の全体を柔らかい材質で形成してしまうと、入浴者の頭の荷重を支えきれずに、下方へ撓んでしまう可能性が生じる。特に、内部に収納空間を有するタイプの浴槽用枕では、下方への撓みによって収納空間を適切に維持できなくなってしまうという問題が生じる。
【０００４】
そこで、内部に収納空間を有するタイプの浴槽用枕では、入浴者の頭の荷重を支持するための支持部と、支持部の上方に配置され、少なくとも上面を支持部よりも柔らかい材質で形成する頭載置部と、で浴槽用枕を形成することが考えられている。
【０００５】
支持部と頭載置部とで浴槽用枕を形成した場合、清掃などで浴槽用枕を浴槽から取り外す時には、作業者は、上面を形成する頭載置部を掴み、上方に力を掛けて取り外す可能性が高い。この際、支持部よりも柔らかい材質で形成された頭載置部が折れ曲がり、これが繰り返されると、折れ曲がりによる折れ跡が頭載置部の上面に形成されてしまうという問題がある。このため、内部に収納空間を有する浴槽用枕では、クッション性を損なうことなく収納空間の変形を抑制でき、且つ上面に折れ跡が生じてしまうことを抑制できるようにすることが望まれる。
【先行技術文献】
【特許文献】
【０００６】
【特許文献１】特開２０１６−８４２８号公報
【発明の概要】
【発明が解決しようとする課題】
【０００７】
本発明は、かかる課題の認識に基づいてなされたものであり、クッション性を損なうことなく内部の収納空間の変形を抑制でき、且つ上面に折れ跡が生じてしまうことを抑制することができる浴槽用枕を提供することを目的とする。
【課題を解決するための手段】
【０００８】
第１の発明は、浴槽に設置され、入浴者の頭を載せることが可能な浴槽用枕であって、一対の側部と、前記一対の側部の後端を接続する後端部と、を有し、入浴者の頭の荷重を支えるための支持部と、前記支持部の上に設けられ、前記入浴者の頭が載置される上面を形成するとともに、前記一対の側部の間の空間の上方を覆うことにより、前記浴槽の機能部を収納するための収納空間を前記支持部とともに形成する頭載置部と、を備え、前記頭載置部の硬さは、前記支持部の硬さよりも柔らかく、前記後端部と前記頭載置部との接続面の外縁を表す前記収納空間側の接続ラインは、変曲点を有する曲線状であることを特徴とする浴槽用枕である。
【０００９】
この浴槽用枕によれば、硬い支持部と柔らかい頭載置部とで浴槽用枕を形成することにより、クッション性を損なうことなく、入浴者の頭が載置された際の収納空間の変形を抑制することができる。そして、収納空間側の接続ラインが、変曲点を有する曲線状である。これにより、作業者が柔らかい材質で形成された頭載置部の前端を掴んで上方に力を掛け、浴槽用枕を浴槽から取り外そうとした際にも、頭載置部の前端から接続ラインに対して、「てこの原理」による力を掛かり難くすることができる。従って、例えば左右方向に直線状に延びる接続ラインを形成した場合などと比べて、支持部に対して柔らかい材質で形成された頭載置部が、接続ラインを基点に大きく折れ曲がり、頭載置部の上面に折れ跡が発生してしまうことを抑制することができる。例えば、収納空間側の接続ラインが変曲点を有する曲線状であることにより、頭載置部の折れ曲がりが繰り返された際に、直線状の接続ラインなどと比べて、接続ラインを基点に同じ個所で折れ曲がってしまうことを抑制することができる。例えば、頭載置部の折れ曲がりの個所を前後にずらすことができる。従って、頭載置部の折れ曲がりが繰り返された際にも、頭載置部の上面に大きな折れ跡が発生してしまうことを抑制することができる。このように、クッション性を損なうことなく内部の収納空間の変形を抑制でき、且つ上面に折れ跡が生じてしまうことを抑制可能な浴槽用枕を提供することができる。
【００１０】
第２の発明は、第１の発明において、前記収納空間側の前記接続ラインの左右方向の中央近傍は、前記変曲点より前方に位置していることを特徴とする浴槽用枕である。
【００１１】
頭載置部の左右方向の中央近傍は、左右方向の端部などと比べて把持し易く、力も加え易いことから、頭載置部に対して大きな力が加わる可能性が高い。また、頭載置部の前端のうち収納空間の左右方向の中央近傍の部分を把持された場合、支持部の一対の側部からの距離が長くなるため、頭載置部の前端の他の部分を把持された場合と比べて、「てこの原理」の力が頭載置部に加わり易くなってしまう。従って、上記のように、収納空間側の接続ラインの左右方向の中央近傍を、変曲点より前方に位置させることにより、頭載置部の収納空間の中央近傍の部分を把持された場合などにも、接続ラインを基点とする「てこの原理」による力を頭載置部に掛かり難くすることができる。これにより、頭載置部が接続ラインを基点に大きく折れ曲がり、頭載置部の上面に折れ跡が発生してしまうことを、より確実に抑制することができる。
【００１２】
第３の発明は、第２の発明において、前記収納空間側の前記接続ラインは、前方側に向かって凸となるように湾曲した湾曲部を有し、前記湾曲部の頂点部分は、前記収納空間側の前記接続ラインの左右方向の中央近傍に設けられていることを特徴とする浴槽用枕である。
【００１３】
この浴槽用枕によれば、頭載置部の収納空間の中央近傍の部分を把持された場合などにも、接続ラインを基点とする「てこの原理」による力を、より頭載置部に掛かり難くすることができる。
【００１４】
第４の発明は、第１〜第３のいずれか１つの発明において、前記収納空間側の前記接続ラインの少なくとも一部は、波形形状であることを特徴とする浴槽用枕である。
【００１５】
この浴槽用枕によれば、接続ラインの少なくとも一部が波形形状、すなわち節である変曲点及び頂点部分が複数ある形状であるため、頭載置部が大きく折れ曲がってしまうことによる大きな折れ跡が頭載置部の上面に発生してしまうことを、より確実に抑制することができる。
【００１６】
第５の発明は、第１〜第４のいずれか１つの発明において、前記収納空間側の前記接続ラインの少なくとも一部は、前記一対の側部の後端を結ぶ仮想線よりも前方に位置していることを特徴とする浴槽用枕である。
【００１７】
この浴槽用枕によれば、作業者が柔らかい材質で形成された頭載置部の前端を掴んで上方に力を掛け、浴槽用枕を浴槽から取り外そうとした際にも、頭載置部の前端から接続ラインに対して、「てこの原理」による力を、より掛かり難くすることができる。
【発明の効果】
【００１８】
本発明の態様によれば、クッション性を損なうことなく内部の収納空間の変形を抑制でき、且つ上面に折れ跡が生じてしまうことを抑制することができる浴槽用枕が提供される。
【図面の簡単な説明】
【００１９】
【図１】実施形態に係る浴槽及び浴槽用枕を模式的に表す斜視図である。
【図２】実施形態に係る浴槽及び浴槽用枕を模式的に表す平面図である。
【図３】実施形態に係る浴槽用枕を模式的に表す斜視図である。
【図４】実施形態に係る浴槽用枕を模式的に表す底面図である。
【図５】実施形態に係る浴槽用枕を模式的に表す断面図である。
【図６】実施形態に係る浴槽用枕の変形例を模式的に表す底面図である。
【図７】実施形態に係る浴槽用枕の変形例を模式的に表す底面図である。
【発明を実施するための形態】
【００２０】
以下、実施形態について図面を参照しつつ説明する。なお、各図面中、同様の構成要素には同一の符号を付して詳細な説明は適宜省略する。  
図１は、実施形態に係る浴槽及び浴槽用枕を模式的に表す斜視図である。  
図２は、実施形態に係る浴槽及び浴槽用枕を模式的に表す平面図である。  
図１及び図２に表したように、浴槽用枕１０は、湯水を貯留する浴槽１００に設置される。浴槽用枕１０は、浴槽１００に取り付けられた状態で使用され、浴槽１００に入浴した入浴者が頭を載せることを可能にする。換言すれば、浴槽用枕１０は、入浴者の頭を支持するように、浴槽１００に取り付けられる。
【００２１】
浴槽１００は、浴槽本体１０２を備える。浴槽本体１０２は、内壁面１０４を有する。内壁面１０４は、入浴者の背中を支持する背もたれ面１０６を有する。ここで、本願明細書においては、背もたれ面１０６に背中を当接させた入浴者からみて上方を「上方」とし、下方を「下方」とし、前方を「前方」とし、後方を「後方」とし、右側を「右側方」とし、左側を「左側方」とする。
【００２２】
浴槽１００は、機能部１１０を備えている。機能部１１０は、背もたれ面１０６に連なる上端（リム面）の上に設けられる。機能部１１０は、例えば、浴槽本体１０２の内方に向けて湯水を吐水する吐水ユニットである。機能部１１０は、前方に向けて湯水を吐水する。浴槽１００は、例えば、浴槽本体１０２内に溜められた湯水を図示を省略したポンプによって吸引し、吸引した湯水を機能部１１０から吐水する。換言すれば、浴槽１００は、浴槽本体１０２内に溜められた湯水を循環させる。これにより、浴槽本体１０２から湯水を溢れさせることなく、機能部１１０から湯水を吐水することができる。
【００２３】
機能部１１０は、例えば、背もたれ面１０６に背中を当接させた入浴者の首や肩に向けて湯水を吐水する。これにより、例えば、入浴者の首や肩をより温めたり、入浴者の首や肩にマッサージ効果を付与したりすることができ、入浴時のリラクゼーション効果をより高めることができる。
【００２４】
機能部１１０は、左右方向に延びたスリット状の吐水口１１０ａを有する。これにより、機能部１１０は、左右方向に延びた帯状の水流を吐水口１１０ａから吐水する。吐水口１１０ａの左右方向の長さは、例えば、２０ｃｍ以上である。吐水口１１０ａの左右方向の長さは、例えば、人間の首の平均的な幅よりも長い。これにより、背もたれ面１０６に背中を当接させた入浴者の首や肩に適切に湯水を当てることができる。また、吐水口１１０ａの左右方向の長さは、例えば、浴槽本体１０２の内部の空間の左右方向の幅よりも短い。これにより、浴槽本体１０２内に適切に湯水を吐水することができる。
【００２５】
機能部１１０は、吐水ユニットに限ることなく、例えば、浴槽本体１０２内の湯水に向けて光を照射する照明ユニットなどでもよい。機能部１１０は、例えば、湯水を吐水する吐水機能と、吐水された湯水を照らす照明機能と、を有してもよい。機能部１１０は、浴槽１００に取り付けて使用される任意の装置でよい。
【００２６】
浴槽用枕１０は、浴槽本体１０２の背もたれ面１０６に連なる上端の上に取り付けられる。これにより、入浴者は、背もたれ面１０６に背中を当接させ、且つ頭を浴槽用枕１０に載せた状態で入浴を行うことができる。このように、浴槽用枕１０を設けることで、よりリラックスさせた姿勢で入浴者に入浴を行わせることができる。入浴時のリラクゼーション効果をより高めることができる。
【００２７】
また、浴槽用枕１０は、機能部１１０を上方から覆うように、浴槽本体１０２の上端の上に取り付けられる。浴槽用枕１０は、浴槽本体１０２に取り付けられた状態において、機能部１１０の少なくとも一部を覆い隠す。浴槽用枕１０は、入浴者の頭の載置を可能にするとともに、機能部１１０の外部への露出を抑制する。これにより、機能部１１０を浴槽本体１０２に設けた場合にも、浴槽１００の美観の低下を抑制することができる。浴槽１００では、浴槽用枕１０と機能部１１０とを設けることにより、リラクゼーション効果の向上と美観の向上とを図ることができる。
【００２８】
浴槽用枕１０は、入浴者の頭を載せることが可能な枕本体１２と、枕本体１２の前面に設けられた開口１４と、を有する。枕本体１２は、上記のように、浴槽本体１０２の上端の上に取り付けられ、機能部１１０を上方から覆う。
【００２９】
枕本体１２は、例えば、浴槽本体１０２及び機能部１１０の少なくとも一方に上方から嵌合又は係合した状態で、浴槽本体１０２の上端の上に取り付けられる。これにより、例えば、入浴者が枕本体１２の上に頭を載せた際などに、枕本体１２が左右や前後に動いてしまうことなどを抑制することができる。従って、入浴者の頭を、より適切に支持することができる。
【００３０】
また、浴槽用枕１０を浴槽本体１０２から取り外す場合には、例えば、枕本体１２を掴んで上方に力を掛け、枕本体１２の嵌合又は係合を解除する。これにより、浴槽用枕１０を浴槽本体１０２から取り外すことができる。
【００３１】
開口１４は、機能部１１０の一部を前方に露出させる。この例において、開口１４は、機能部１１０の吐水口１１０ａの少なくとも一部を前方に露出させる。開口１４は、吐水口１１０ａと同様に、左右方向に延びたスリット状である。
【００３２】
機能部１１０から吐水された湯水は、吐水口１１０ａ及び開口１４を介して浴槽本体１０２内に吐水される。すなわち、開口１４は、機能部１１０から吐水された湯水を流すための開口である。浴槽用枕１０及び機能部１１０は、枕本体１２に頭を載せた状態の入浴者の首や肩に湯水を吐水する。これにより、リラクゼーション効果をさらに高めることができる。
【００３３】
開口１４は、湯水を流すための開口に限定されるものではない。例えば、機能部１１０が照明ユニットである場合には、開口１４は、機能部１１０から照射された光を通すための開口である。開口１４は、枕本体１２の前面に設けられ、機能部１１０の一部を前方に露出させる任意の開口でよい。
【００３４】
図３は、実施形態に係る浴槽用枕を模式的に表す斜視図である。  
図４は、実施形態に係る浴槽用枕を模式的に表す底面図である。  
図５は、実施形態に係る浴槽用枕を模式的に表す断面図である。  
図３及び図４は、浴槽用枕１０を下方から見た状態を模式的に表している。図５は、図４のＡ１−Ａ２線断面を模式的に表している。  
図３〜図５に表したように、浴槽用枕１０の枕本体１２は、支持部２０と、頭載置部３０と、を備える。
【００３５】
支持部２０は、枕本体１２において、入浴者の頭の荷重を支えるための部分である。支持部２０は、一対の側部２１、２２と、後端部２４と、を有する。側部２１、２２は、例えば、前後方向に延びる。側部２２は、側部２１と左右方向に並ぶ。また、側部２２は、左右方向において、側部２１と離間している。従って、側部２１と側部２２との間には、空間が設けられている。後端部２４は、左右方向に延び、一対の側部２１、２２の後端を接続する。側部２１、２２は、換言すれば、左右方向に延びた後端部２４の左右の端部から前方に向かって延びた部分である。
【００３６】
頭載置部３０は、支持部２０の上に設けられ、入浴者の頭が載置される上面３２を形成する。また、頭載置部３０は、一対の側部２１、２２の間の空間の上方を覆うことにより、浴槽１００の機能部１１０を収納するための収納空間３４を支持部２０とともに形成する。枕本体１２は、浴槽本体１０２の上端の上に取り付けられた状態において、収納空間３４内に機能部１１０を収納する。
【００３７】
開口１４は、収納空間３４と連続する。開口１４は、換言すれば、収納空間３４の少なくとも一部を前方に露出させる。頭載置部３０は、例えば、収納空間３４を形成するとともに、収納空間３４の少なくとも一部を前方に露出させる開口１４を枕本体１２の前面に形成する。
【００３８】
この例において、収納空間３４の左右方向の中央は、枕本体１２の左右方向の中央と実質的に同じである。収納空間３４の左右方向の中央は、枕本体１２の左右方向の中央に対して右側又は左側にずれていてもよい。
【００３９】
支持部２０及び頭載置部３０には、例えば、ポリウレタンなどの樹脂材料が用いられる。支持部２０及び頭載置部３０は、弾性を有する。また、頭載置部３０の硬さは、支持部２０の硬さよりも柔らかい。
【００４０】
支持部２０の硬さは、例えば、アスカーＣ型の硬度において、６０度程度である。頭載置部３０の硬さは、例えば、アスカーＣ型の硬度において、４０度程度である。これにより、入浴者の頭を支持する際のクッション性を頭載置部３０によって得ることができるとともに、入浴者の頭の荷重を支持部２０によって適切に支持することができる。例えば、枕本体１２の全体を柔らかい材質で形成した場合などと比べて、入浴者の頭を支持した際の収納空間３４の変形を抑制することができる。支持部２０の硬さは、上記に限ることなく、入浴者の頭の荷重を適切に支持可能な任意の硬さでよい。頭載置部３０の硬さは、上記に限ることなく、入浴者の頭を支持する際の適切なクッション性を得られる任意の硬さでよい。
【００４１】
後端部２４と頭載置部３０との接続面４０の外縁を表す収納空間３４側の接続ライン４２は、変曲点ＰＩを有する曲線状である。接続ライン４２は、例えば、複数の変曲点ＰＩを有する曲線状である。また、接続ライン４２の収納空間３４側の少なくとも一部は、例えば、後端部２４よりも前方に延び、収納空間３４の上方に位置している。支持部２０は、後端部２４の上端から前方に向かって突出した突出部２６を有する。突出部２６は、収納空間３４の上方に位置し、頭載置部３０と接している。これにより、上記のように、接続ライン４２の少なくとも一部を収納空間３４の上方に位置させることができる。
【００４２】
収納空間３４側の接続ライン４２の少なくとも左右方向の中央近傍は、変曲点ＰＩより前方に位置している。収納空間３４側の接続ライン４２の左右方向の中央近傍は、収納空間３４の上方に位置している。換言すれば、接続ライン４２は、少なくとも収納空間３４の左右方向の中央近傍において、収納空間３４の上方に位置している。突出部２６は、収納空間３４の左右方向の中央近傍に設けられている。突出部２６の少なくとも一部は、収納空間３４の左右方向の中央に位置している。これにより、上記のように、収納空間３４側の接続ライン４２の少なくとも左右方向の中央近傍を、変曲点ＰＩより前方に位置させることができる。収納空間３４側の接続ライン４２の左右方向の中央近傍を、収納空間３４の上方に位置させることができる。
【００４３】
ここで、収納空間３４側の接続ライン４２とは、例えば、枕本体１２の略全周に表れる接続ライン４２のうちの収納空間３４内に表れている部分である。また、接続ライン４２の左右方向の中央近傍とは、例えば、接続ライン４２を左右方向に三分割したうちの、中央の部分である。接続ライン４２の左右方向の中央近傍は、例えば、左右方向の中央から右側に３ｃｍ、及び左右方向の中央から左側に３ｃｍの、計６ｃｍの範囲を少なくとも含む。収納空間３４の左右方向の中央近傍についても、接続ライン４２に関する説明と同様である。
【００４４】
収納空間３４側の接続ライン４２は、前方側に向かって凸となるように円弧状に湾曲した湾曲部４２ａを有する。換言すれば、突出部２６の前端２６ａは、上面視において、前方側に向かって凸となるように円弧状に湾曲している。突出部２６の前端２６ａを上方から見た形状は、例えば、半円状である。
【００４５】
湾曲部４２ａの頂点部分４２ｂは、収納空間３４側の接続ライン４２の左右方向の中央近傍に設けられている。頂点部分４２ｂは、例えば、収納空間３４の前後方向の中央ＣＬよりも前方に位置する。また、頂点部分４２ｂは、例えば、頭載置部３０の前端３０ａ（枕本体１２の前端）よりも後方に位置する。すなわち、頂点部分４２ｂは、収納空間３４の前後方向の中央ＣＬと頭載置部３０の前端３０ａとの間に設けられる。換言すれば、接続ライン４２の前端の少なくとも一部は、収納空間３４の前後方向の中央ＣＬと頭載置部３０の前端３０ａとの間に設けられる。例えば、接続ライン４２の前端の中央近傍は、収納空間３４の前後方向の中央ＣＬと頭載置部３０の前端３０ａとの間に設けられる。
【００４６】
この例において、収納空間３４の後端３４ａは、上面視において後方側に向かって凸となるように円弧状に湾曲している。収納空間３４の後端３４ａは、換言すれば、後端部２４の前端である。従って、収納空間３４側の接続ライン４２は、上面視において前方側に向かって凸となるように円弧状に湾曲した部分（湾曲部４２ａ）と、後方側に向かって凸となるように円弧状に湾曲した部分（湾曲部４２ａの両側の部分）と、を有する。すなわち、この例において、収納空間３４側の接続ライン４２は、２つの変曲点ＰＩを有する曲線状である。
【００４７】
浴槽本体１０２の背もたれ面１０６は、例えば、入浴者の背中を受けやすくするため、上面視において後方側に向かって円弧状に湾曲する。この場合、背もたれ面１０６に連なる上端の前方側の縁部も、上面視において後方側に向かって円弧状に湾曲する。従って、これらの形状に合わせて、頭載置部３０の前端３０ａも、後方側に向かって円弧状に湾曲する。これにより、頭載置部３０の前端３０ａと背もたれ面１０６との間に不要な段差などが生じてしまうことを抑制し、頭載置部３０の上面３２に入浴者の頭をより載せやすくすることができる。収納空間３４の後端３４ａは、例えば、この頭載置部３０の前端３０ａの形状に合わせて、上面視において後方側に向かって凸となるように円弧状に湾曲する。
【００４８】
収納空間３４の後端３４ａを上方から見た形状は、円弧状に限ることなく、例えば、左右方向に延びる直線状などでもよい。収納空間３４の後端３４ａを上方から見た形状は、任意の形状でよい。
【００４９】
収納空間３４側の接続ライン４２を２つの変曲点ＰＩを有する曲線状とする場合には、２つの変曲点ＰＩの間の距離を、なるべく長くすることが好ましい。換言すれば、湾曲部４２ａの左右方向の幅は、なるべく長くすることが好ましい。２つの変曲点ＰＩの左右方向の距離は、例えば、一方の変曲点ＰＩと側部２１との間の左右方向の距離及び他方の変曲点ＰＩと側部２２との間の左右方向の距離のそれぞれよりも長いことが好ましい。なお、変曲点ＰＩの数は、２つに限ることなく、３つ以上でもよい。
【００５０】
収納空間３４側の接続ライン４２の形状及び突出部２６の形状は、上記に限ることなく、変曲点ＰＩを有する曲線状の任意の形状でよい。
【００５１】
以上、説明したように、本実施形態に係る浴槽用枕１０では、硬い支持部２０と柔らかい頭載置部３０とで浴槽用枕１０を形成することにより、クッション性を損なうことなく、入浴者の頭が載置された際の収納空間３４の変形を抑制することができる。そして、収納空間３４側の接続ライン４２が、変曲点ＰＩを有する曲線状である。これにより、作業者が柔らかい材質で形成された頭載置部３０の前端３０ａを掴んで上方に力を掛け、浴槽用枕１０を浴槽１００から取り外そうとした際にも、頭載置部３０の前端３０ａから接続ライン４２に対して、「てこの原理」による力を掛かり難くすることができる。従って、例えば左右方向に直線状に延びる接続ラインを形成した場合などと比べて、支持部２０に対して柔らかい材質で形成された頭載置部３０が、接続ライン４２を基点に大きく折れ曲がり、頭載置部３０の上面３２に折れ跡が発生してしまうことを抑制することができる。例えば、収納空間３４側の接続ライン４２が変曲点ＰＩを有する曲線状であることにより、頭載置部３０の折れ曲がりが繰り返された際に、直線状の接続ラインなどと比べて、接続ライン４２を基点に同じ個所で折れ曲がってしまうことを抑制することができる。例えば、頭載置部３０の折れ曲がりの個所を前後にずらすことができる。従って、頭載置部３０の折れ曲がりが繰り返された際にも、頭載置部３０の上面３２に大きな折れ跡が発生してしまうことを抑制することができる。このように、クッション性を損なうことなく内部の収納空間３４の変形を抑制でき、且つ上面３２に折れ跡が生じてしまうことを抑制可能な浴槽用枕１０を提供することができる。
【００５２】
また、浴槽用枕１０は、枕本体１２の前面に設けられた開口１４を有する。この場合、浴槽用枕１０を浴槽１００から取り外す際に、開口１４に手指を掛け、頭載置部３０の前端３０ａの部分が掴まれやすくなる。このような場合にも、上記のように、収納空間３４側の接続ライン４２を変曲点ＰＩを有する曲線状にすることにより、上面３２に折れ跡が生じてしまうことを抑制することができる。
【００５３】
また、浴槽用枕１０では、収納空間３４側の接続ライン４２の少なくとも一部が、収納空間３４の前後方向の中央ＣＬよりも前方に位置する。これにより、頭載置部３０が接続ライン４２を基点に大きく折れ曲がり、頭載置部３０の上面３２に折れ跡が発生してしまうことを、より確実に抑制することができる。
【００５４】
また、浴槽用枕１０では、収納空間３４側の接続ライン４２が、頭載置部３０の前端３０ａよりも後方に位置する。これにより、クッション性の低下をより確実に抑制することができる。
【００５５】
頭載置部３０の左右方向の中央近傍は、左右方向の端部などと比べて把持し易く、力も加え易いことから、頭載置部３０に対して大きな力が加わる可能性が高い。また、頭載置部３０の前端３０ａのうち収納空間３４の左右方向の中央近傍の部分を把持された場合、支持部２０の一対の側部２１、２２からの距離が長くなるため、頭載置部３０の前端３０ａの他の部分を把持された場合と比べて、「てこの原理」の力が頭載置部３０に加わり易くなってしまう。従って、上記のように、収納空間３４側の接続ライン４２の左右方向の中央近傍を、変曲点ＰＩより前方に位置させることにより、頭載置部３０の収納空間３４の中央近傍の部分を把持された場合などにも、接続ライン４２を基点とする「てこの原理」による力を頭載置部３０に掛かり難くすることができる。これにより、頭載置部３０が接続ライン４２を基点に大きく折れ曲がり、頭載置部３０の上面３２に折れ跡が発生してしまうことを、より確実に抑制することができる。
【００５６】
浴槽用枕１０では、収納空間３４側の接続ライン４２が、前方側に向かって凸となるように湾曲した湾曲部４２ａを有し、湾曲部４２ａの頂点部分４２ｂが、収納空間３４側の接続ライン４２の左右方向の中央近傍に設けられている。これにより、頭載置部３０の収納空間３４の中央近傍の部分を把持された場合などにも、接続ライン４２を基点とする「てこの原理」による力を、より頭載置部３０に掛かり難くすることができる。
【００５７】
また、収納空間３４の上方に位置する接続ライン４２を連続的に滑らかに変化する円弧状とすることにより、例えば、接続ライン４２を三角形状や四角形状などの角を有する形状とした場合などと比べて、接続ライン４２を基点とする「てこの原理」による力を、より頭載置部３０に掛かり難くすることができる。
【００５８】
図６は、実施形態に係る浴槽用枕の変形例を模式的に表す底面図である。  
なお、上記実施形態と機能・構成上実質的に同じものについては、同符号を付し、詳細な説明は省略する。  
図６に表したように、浴槽用枕１０ａでは、収納空間３４側の接続ライン４２の少なくとも一部が、一対の側部２１、２２の後端２１ａ、２２ａを結ぶ仮想線ＶＬよりも前方に位置している。仮想線ＶＬは、より詳しくは、側部２１の収納空間３４側の後端２１ａと、側部２２の収納空間３４側の後端２２ａと、を結ぶ仮想的な線である。
【００５９】
このように、浴槽用枕１０ａでは、収納空間３４側の接続ライン４２の少なくとも一部が、仮想線ＶＬよりも前方に位置している。これにより、作業者が柔らかい材質で形成された頭載置部３０の前端３０ａを掴んで上方に力を掛け、浴槽用枕１０ａを浴槽１００から取り外そうとした際にも、頭載置部３０の前端３０ａから接続ライン４２に対して、「てこの原理」による力を、より掛かり難くすることができる。
【００６０】
浴槽用枕１０ａでは、湾曲部４２ａの一部が、仮想線ＶＬよりも前方に位置している。接続ライン４２において仮想線ＶＬよりも前方に位置する部分は、湾曲部４２ａに限ることなく、任意の部分でよい。
【００６１】
図７は、実施形態に係る浴槽用枕の変形例を模式的に表す底面図である。  
図７に表したように、浴槽用枕１０ｂでは、収納空間３４側の接続ライン４２の少なくとも一部が、波形形状である。接続ライン４２は、少なくとも左右方向の中央近傍において波形形状に形成されている。浴槽用枕１０ｂにおいて、接続ライン４２は、複数の変曲点ＰＩ及び複数の頂点部分４２ｂを有する曲線状である。波形形状は、換言すれば、左右方向に並べて設けられた複数の円弧状の突出部２６を有する形状である。
【００６２】
このように、浴槽用枕１０ｂでは、接続ライン４２の少なくとも一部が波形形状、すなわち節である変曲点ＰＩ及び頂点部分４２ｂが複数ある形状であるため、頭載置部３０が大きく折れ曲がってしまうことによる大きな折れ跡が頭載置部３０の上面３２に発生してしまうことを、より確実に抑制することができる。また、波形形状の接続ライン４２において、複数の頂点部分４２ｂは、左右方向に一直線状に並ばない。これにより、大きな折れ跡が頭載置部３０の上面３２に発生してしまうことを、より確実に抑制することができる。さらに、波形形状の接続ライン４２において、複数の頂点部分４２ｂは、同一の曲率の曲線上に並ばない。換言すれば、複数の頂点部分４２ｂは、同一円周上に並ばない。これにより、大きな折れ跡が頭載置部３０の上面３２に発生してしまうことを、さらに確実に抑制することができる。
【００６３】
この例では、接続ライン４２が、５つの頂点部分４２ｂを有している。接続ライン４２に設けられる頂点部分４２ｂの数は、５つに限ることなく、２つ以上の任意の数でよい。また、図７では、各突出部２６のそれぞれの突出量が、比較的小さい状態を図示している。例えば、接続ライン４２の少なくとも一部を波形形状とした場合に、複数の頂点部分４２ｂのそれぞれが、上記の仮想線ＶＬよりも前方に位置するようにしてもよい。
【００６４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴槽用枕１０、１０ａ、１０ｂなどが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
１０、１０ａ、１０ｂ 浴槽用枕、  １２ 枕本体、  １４ 開口、  ２０ 支持部、  ２１、２２ 側部、  ２４ 後端部、  ２６ 突出部、  ３０ 頭載置部、  ３２ 上面、  ３４ 収納空間、  ４０ 接続面、  ４２ 接続ライン、  １００ 浴槽、  １０２ 浴槽本体、  １０４ 内壁面、  １０６ 背もたれ面、  １１０ 機能部
【図１】
2019122608.tif 000003
【図２】
2019122608.tif 000004
【図３】
2019122608.tif 000005
【図４】
2019122608.tif 000006
【図５】
2019122608.tif 000007
【図６】
2019122608.tif 000008
【図７】
2019122608.tif 000009